(57)【特許請求の範囲】
【請求項１】
圧縮機（53）、第１及び第２吸着熱交換器（51,52）、開度調整自在な膨張弁（55）並びに冷媒の循環方向を切り換える四方切換弁（54）が接続された冷媒回路（50）と、前記膨張弁（55）の開度を制御する開度制御手段（62）とを備え、該開度制御手段（62）により前記膨張弁（55）の開度を制御しながら、前記第２吸着熱交換器（52）で空気の水分を吸着し且つ前記第１吸着熱交換器（51）で空気に水分を放出する第１バッチ運転と前記第１吸着熱交換器（51）で空気の水分を吸着し且つ前記第２吸着熱交換器（52）で空気に水分を放出する第２バッチ運転とを前記四方切換弁（54）を切り換えることで前記冷媒回路（50）の冷媒過熱度が各バッチ運転時において安定する前に交互に切り換え、調湿空気を室内に供給する調湿装置であって、
前記第１バッチ運転の開始時には前回の第１バッチ運転の終了時の前記膨張弁（55）の開度を初期開度に設定し、前記第２バッチ運転の開始時には前回の第２バッチ運転の終了時の前記膨張弁（55）の開度を初期開度に設定するように前記各バッチ運転の初期開度を設定する初期設定手段（63）をさらに備え、
前記開度制御手段（62）は、
前記圧縮機（53）を起動してから最初の前記バッチ運転においては、該バッチ運転の開始から終了までに亘って、前記膨張弁（55）の開度を調節して前記冷媒回路（50）の冷媒過熱度が所定値となるようにフィードバック制御する一方、
前記圧縮機（53）の起動後２回目以降の前記バッチ運転においては、各バッチ運転の開始から所定時間が経過するまでは前記膨張弁（55）の開度を前記初期設定手段（63）により設定された前記初期開度に固定する第１制御を実行し、該所定時間経過後は前記膨張弁（55）の開度を調節して前記冷媒回路（50）の冷媒過熱度が所定値となるようにフィードバック制御する第２制御を行い、
前記初期設定手段（63）は、前記２回目のバッチ運転の開始時には、前記初期開度を前記最初のバッチ運転の終了時の前記膨張弁（55）の開度に設定する一方、
前記圧縮機（53）を起動させるときには、液冷媒が該圧縮機（53）に吸入されないように前記膨張弁（55）の開度を絞りながら、該圧縮機（53）を所定の運転状態に制御する起動制御を行うように構成されており、
該起動制御を完了したときには、前記四方切換弁（54）によって冷媒回路（50）の冷媒循環方向が切り換えてから前記最初のバッチ運転を開始することを特徴とする調湿装置。
【請求項２】
請求項１において、
上記初期設定手段（63）は、前記圧縮機（53）の起動後３回目以降の前記バッチ運転においては、前回の各バッチ運転の終了時の膨張弁（55）の開度が存在しないときに他のバッチ運転の終了時の膨張弁（55）の開度を初期開度に設定するように構成されていることを特徴とする調湿装置。
【発明の詳細な説明】
【技術分野】
【０００１】
本発明は、吸着部材で調湿した室外空気を室内へ供給する調湿装置に関するものである。
【背景技術】
【０００２】
従来より、取り込んだ室外空気を除湿又は加湿して室内へ供給する調湿装置が知られている（例えば、特許文献１参照）。
【０００３】
特許文献１に係る調湿装置は、吸着剤が担持された２つの吸着熱交換器が接続された冷媒回路を備えていて、一方の吸着熱交換器を蒸発器として機能させて空気中の水分を吸着させる吸着動作（除湿）を行わせる一方、他方の吸着熱交換器を凝縮器として機能させて吸着剤から水分を放出させる再生動作（加湿）とを行わせている。そして、冷媒回路の冷媒循環方向を切り換えることによって、２つの吸着熱交換器の動作を入れ換えることができる。
【０００４】
具体的に、除湿運転においては、前記調湿装置は、取り込んだ室外空気を蒸発器として機能する一方の吸着熱交換器で除湿して室内へ供給すると共に、取り込んだ室内空気を凝縮器として機能する他方の吸着熱交換器で加湿して室外へ排出する第１バッチ運転を行う。次に、冷媒回路の冷媒循環方向並びに室外空気及び室内空気の空気流路を切り換えて、取り込んだ室外空気を蒸発器として機能する他方の吸着熱交換器で除湿して室内へ供給すると共に、取り込んだ室内空気を凝縮器として機能する一方の吸着熱交換器で加湿して室外へ排出する第２バッチ運転を行う。このように、調湿装置は、冷媒循環方向及び空気流路を交互に切り換えながら除湿運転を継続して実行する。
【０００５】
一方、加湿運転においては、前記調湿装置は、取り込んだ室外空気を凝縮器として機能する一方の吸着熱交換器で加湿して室内へ供給すると共に、取り込んだ室内空気を蒸発器として機能する他方の吸着熱交換器で除湿して室外へ排出する第１バッチ運転を行う。次に、冷媒回路の冷媒循環方向並びに室外空気及び室内空気の空気流路を切り換えて、取り込んだ室外空気を凝縮器として機能する他方の吸着熱交換器で加湿して室内へ供給すると共に、取り込んだ室内空気を蒸発器として機能する一方の吸着熱交換器で除湿して室外へ排出する第２バッチ運転を行う。このように、調湿装置は、冷媒循環方向及び空気流路を交互に切り換えながら加湿運転を継続して実行する。
【０００６】
このように、第１バッチ運転と第２バッチ運転とを交互に切り換えながら運転を行う調湿装置では、冷媒回路の冷媒過熱度が安定する前に、バッチ運転が切り換えられる。そのため、空調機の膨張弁制御をそのまま適用することができない。
【０００７】
そこで、特許文献１に係る調湿装置では、各バッチ運転において、バッチ運転の開始後、所定時間経過するまでは、膨張弁の開度を所定の初期開度に固定する第１制御を行う一方、該所定期間経過後は、膨張弁の開度を調節して冷媒回路の冷媒過熱度が所定値となるようにフィードバック制御する第２制御を行うように構成されている。この第１制御で用いる初期開度は、前回の同種のバッチ運転（第１バッチ運転であれば、前回の第１バッチ運転であり、第２バッチ運転であれば、前回の第２バッチ運転が該当する。）の終了時の膨張弁の開度に設定される。つまり、冷媒回路の冷媒過熱度が安定する前にバッチ運転が切り換えられる調湿装置においては、各バッチ運転中に冷媒過熱度が大きく変化する。そのため、膨張弁の開度制御が不安定になることを防止すべく、冷媒過熱度が不安定な間は膨張弁の開度を一定の初期開度で固定している。そして、冷媒過熱度が比較的安定するバッチ運転の切り換え前の所定期間だけ、冷媒過熱度が目標値となるように膨張弁の開度をフィードバック制御し、その膨張弁の開度を次回の同種のバッチ運転に引き継がせている。
【特許文献１】特開２００６−３２９５９０号公報
【発明の開示】
【発明が解決しようとする課題】
【０００８】
しかしながら、前述の如く、前回の同種のバッチ運転の終了時の膨張弁の開度を初期開度として用いる調湿装置においては、調湿装置の起動直後には、前回の同種のバッチ運転が存在しないため、初期開度を設定することができない。
【０００９】
ここで、起動直後のバッチ運転においては、冷凍サイクルの挙動を予め予測して求めた予測開度を初期開度として用いて、膨張弁開度の前記第１制御（固定制御）を行うことも考えられる。しかしながら、該予測開度と実際の最適な開度とが大きく乖離している場合には、各バッチ運転の終了間際にしか、冷媒過熱度のフィードバック制御を行わない構成では、予測開度から最適な開度へ収束するのに長い時間がかかってしまう。
【００１０】
本発明は、かかる点に鑑みてなされたものであり、その目的とするところは、各バッチ運転において前回のバッチ運転の終了時の膨張弁の開度を初期開度に設定して開度を固定制御し、各バッチ運転の終了間際にだけ冷媒過熱度のフィードバック制御を行う調湿装置において、膨張弁の開度制御を早期に安定させることにある。
【課題を解決するための手段】
【００１１】
第１の発明は、圧縮機（53）、第１及び第２吸着熱交換器（51,52）、開度調整自在な膨張弁（55）並びに冷媒の循環方向を切り換える四方切換弁（54）が接続された冷媒回路（50）と、前記膨張弁（55）の開度を制御する開度制御手段（62）とを備え、該開度制御手段（62）により前記膨張弁（55）の開度を制御しながら、前記第２吸着熱交換器（52）で空気の水分を吸着し且つ前記第１吸着熱交換器（51）で空気に水分を放出する第１バッチ運転と前記第１吸着熱交換器（51）で空気の水分を吸着し且つ前記第２吸着熱交換器（52）で空気に水分を放出する第２バッチ運転とを前記四方切換弁（54）を切り換えることで前記冷媒回路（50）の冷媒過熱度が各バッチ運転時において安定する前に交互に切り換え、調湿空気を室内に供給する調湿装置が対象である。そして、前記第１バッチ運転の開始時には前回の第１バッチ運転の終了時の前記膨張弁（55）の開度を初期開度に設定し、前記第２バッチ運転の開始時には前回の第２バッチ運転の終了時の前記膨張弁（55）の開度を初期開度に設定するように前記各バッチ運転の初期開度を設定する初期設定手段（63）をさらに備え、前記開度制御手段（62）は、前記圧縮機（53）を起動してから最初の前記バッチ運転においては、該バッチ運転の開始から終了までに亘って、前記膨張弁（55）の開度を調節して前記冷媒回路（50）の冷媒過熱度が所定値となるようにフィードバック制御する一方、前記圧縮機（53）の起動後２回目以降の前記バッチ運転においては、各バッチ運転の開始から所定時間が経過するまでは前記膨張弁（55）の開度を前記初期設定手段（63）により設定された前記初期開度に固定する第１制御を実行し、該所定時間経過後は前記膨張弁（55）の開度を調節して前記冷媒回路（50）の冷媒過熱度が所定値となるようにフィードバック制御する第２制御を行い、前記初期設定手段（63）は、前記２回目のバッチ運転の開始時には、前記初期開度を前記最初のバッチ運転の終了時の前記膨張弁（55）の開度に設定するものとする。
【００１２】
前記の構成の場合、基本的には、各バッチ運転において、膨張弁（55）の開度を初期開度に固定する第１制御を行い、所定時間経過すると、膨張弁（55）の開度を調節して冷媒過熱度をフィードバック制御する第２制御を行う。このとき、第１制御における初期開度を、前回の同種のバッチ運転の終了時の膨張弁（55）の開度に設定する。
【００１３】
こうして、各バッチ運転においては、冷媒過熱度が不安定な間は膨張弁（55）を固定開度で制御し、冷媒過熱度が比較的安定するバッチ運転の切換前の所定期間だけ冷媒過熱度のフィードバック制御を行うことによって、冷媒過熱度が不安定なバッチ運転において、冷媒過熱度をできる限り安定させることができる。
【００１４】
そして、バッチ運転が繰り返される調湿装置の運転全体で見れば、各バッチ運転の終了時の膨張弁（55）の開度が次の同種のバッチ運転の第１制御の初期開度に設定され、その後、第２制御によってより最適な開度に調整される。この制御動作が順次繰り返されるため、冷媒過熱度のフィードバック制御を行うのが各バッチ運転の切換前の短い期間だけであっても、バッチ運転を繰り返すことによって膨張弁（55）の開度がやがて最適な開度に収束していく。
【００１５】
ここで、調湿装置の起動直後は前回の同種のバッチ運転が存在しない、即ち、第１制御において設定すべき初期開度が存在しないが、圧縮機（53）の起動後最初のバッチ運転においては、膨張弁（55）の開度を調節して冷媒過熱度をフィードバック制御すると共に、起動後２回目のバッチ運転においては、該最初のバッチ運転の終了時の膨張弁（55）の開度を初期開度に設定して第１制御を行っている。こうすることによって、起動後最初のバッチ運転においては、バッチ運転中の冷媒過熱度を目標値に収束させつつ、次のバッチ運転に用いる初期開度としてできる限り実機に則した最適な開度を求めることができる。また、起動後２回目のバッチ運転においては前回の同種のバッチ運転が存在しないが、バッチ運転の種類が異なるものの、該最初のバッチ運転の終了時の膨張弁（55）の開度を第１制御の初期開度として設定することによって、予め求めておいた予測開度を用いるよりもより実機に則した適切な開度を用いて膨張弁（55）の開度制御を開始することができる。また、このように、冷媒解熱度が不安定な環境ながらもフィードバック制御することで求めた開度を最初の初期開度として用いることによって、最初の初期開度をできる限り実機に則した開度に設定することができ、調湿装置の運転全体でみたときに、膨張弁（55）の開度を早期に安定させることができる。
【００１６】
また、第１の発明は、前記圧縮機（53）を起動させるときには、液冷媒が該圧縮機（53）に吸入されないように前記膨張弁（55）の開度を絞りながら、該圧縮機（53）を所定の運転状態に制御する起動制御を行うように構成されており、該起動制御を完了したときには、前記四方切換弁（54）によって冷媒回路（50）の冷媒循環方向が切り換えてから前記最初のバッチ運転を開始するものとする。
【００１７】
前記の構成の場合、最初のバッチ運転の前には起動制御を行うと共に、起動制御から最初のバッチ運転に切り換えるときには冷媒の循環方向を切り換える。すなわち、起動制御とバッチ運転とは目的が異なるため運転状態も全く異なり、さらには冷媒の循環方向も切り換えられるため最初のバッチ運転においては冷媒過熱度が大きく変化する。このように冷媒過熱度が不安定な状態であっても、前述の如く、起動後最初のバッチ運転においては冷媒過熱度をフィードバック制御することで２回目さらには３回目のバッチ運転の初期開度を求めることによって、膨張弁（55）の開度を早期に安定させることができる。
【００１８】
第２の発明は、第１の発明において、上記初期設定手段（63）は、前記圧縮機（53）の起動後３回目以降の前記バッチ運転においては、前回の各バッチ運転の終了時の膨張弁（55）の開度が存在しないときに他のバッチ運転の終了時の膨張弁（55）の開度を初期開度に設定するように構成されているものとする。
【００１９】
前記の構成の場合、前記初期設定手段（63）に前回の各バッチ運転の終了時の膨張弁（55）の開度が存在しない場合、上記初期設定手段（63）は他のバッチ運転の終了時の膨張弁（55）の開度を初期開度に設定する。
【発明の効果】
【００２０】
本発明によれば、圧縮機（53）の起動後最初のバッチ運転においては、前記膨張弁（55）の開度を調節して前記冷媒回路（50）の冷媒過熱度が所定値となるようにフィードバック制御する一方、起動後２回目のバッチ運転においては、該最初のバッチ運転の終了時の前記膨張弁（55）の開度を初期開度に設定して前記第１制御を行った後、第２制御を行うことによって、調湿装置の起動直後において第１制御で用いる初期開度を求めることができる。さらには、該初期開度をフィードバック制御で求めることによって、できる限り実機に則した開度を求めることができ、膨張弁（55）の開度を最適な開度に迅速に収束させることができる。
【００２１】
また、最初のバッチ運転の前に起動制御が行われ且つ、起動制御からバッチ運転に切り換わるときに冷媒の循環方向が切り換えられる構成であっても、前述の如く、最初のバッチ運転では冷媒過熱度のフィードバック制御を行い、２回目のバッチ運転では、該最初のバッチ運転の終了時の膨張弁（55）の開度を初期開度として前記第１制御を行うことによって、膨張弁（55）の開度を最適な開度に迅速に収束させることができる。
【００２２】
第２の発明によれば、前回の各バッチ運転の終了時の膨張弁（55）の開度が存在しないときには他のバッチ運転の終了時の膨張弁（55）の開度を初期開度に設定するので、膨張弁（55）の開度を運転条件に近い開度に設定することができ、膨張弁（55）の開度を迅速に収束させることができる。
【発明を実施するための最良の形態】
【００２３】
以下、本発明の実施形態を図面に基づいて詳細に説明する。
【００２４】
本実施形態の調湿装置（10）は、室内の湿度調節と共に室内の換気を行うものであり、取り込んだ室外空気（OA）を湿度調節して室内へ供給すると同時に、取り込んだ室内空気（RA）を室外に排出する。
【００２５】
〈調湿装置の全体構成〉
調湿装置（10）について、図１，図２を適宜参照しながら説明する。なお、ここでの説明で用いる「上」「下」「左」「右」「前」「後」「手前」「奥」は、特にことわらない限り、調湿装置（10）を前面側から見た場合の方向を意味している。
【００２６】
調湿装置（10）は、ケーシング（11）を備えている。また、ケーシング（11）内には、冷媒回路（50）が収容されている。この冷媒回路（50）には、第１吸着熱交換器（51）、第２吸着熱交換器（52）、圧縮機（53）、四方切換弁（54）及び電動膨張弁（55）が接続されている。冷媒回路（50）の詳細は後述する。
【００２７】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００２８】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００２９】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３０】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３１】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３２】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３３】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は、内気吸込口（23）に接続するダクトを介して室内と連通している。内気側通路（32）には、内気側フィルタ（27）と内気湿度センサ（96）とが設置されている。外気側通路（34）は、外気吸込口（24）に接続するダクトを介して室外空間と連通している。外気側通路（34）には、外気側フィルタ（28）と外気湿度センサ（97）とが設置されている。
【００３４】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。これら第１及び第２熱交換器室（37,38）が空気通路及び吸着部材室を構成する。
【００３５】
各吸着熱交換器（51,52）は、いわゆるクロスフィン型のフィン・アンド・チューブ熱交換器の表面に吸着剤を担持させたものであって、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。
【００３６】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００３７】
上流側仕切板（71）には、開閉式のダンパ（41〜44）が４つ設けられている。各ダンパ（41〜44）は、概ね横長の長方形状に形成されている。具体的に、上流側仕切板（71）のうち内気側通路（32）に面する部分（上側部分）では、中央仕切板（73）よりも右側に第１内気側ダンパ（41）が取り付けられ、中央仕切板（73）よりも左側に第２内気側ダンパ（42）が取り付けられる。また、上流側仕切板（71）のうち外気側通路（34）に面する部分（下側部分）では、中央仕切板（73）よりも右側に第１外気側ダンパ（43）が取り付けられ、中央仕切板（73）よりも左側に第２外気側ダンパ（44）が取り付けられる。
【００３８】
下流側仕切板（72）には、開閉式のダンパ（45〜48）が４つ設けられている。各ダンパ（45〜48）は、概ね横長の長方形状に形成されている。具体的に、下流側仕切板（72）のうち給気側通路（31）に面する部分（上側部分）では、中央仕切板（73）よりも右側に第１給気側ダンパ（45）が取り付けられ、中央仕切板（73）よりも左側に第２給気側ダンパ（46）が取り付けられる。また、下流側仕切板（72）のうち排気側通路（33）に面する部分（下側部分）では、中央仕切板（73）よりも右側に第１排気側ダンパ（47）が取り付けられ、中央仕切板（73）よりも左側に第２排気側ダンパ（48）が取り付けられる。
【００３９】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４０】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。
【００４１】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００４２】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用ダンパ（83）が設けられている。
【００４３】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用ダンパ（84）が設けられている。
【００４４】
これら給気側通路（31）、内気側通路（32）、排気側通路（33）、外気側通路（34）、排気ファン室（35）、給気ファン室（36）、第１バイパス通路（81）及び第２バイパス通路（82）が空気通路を構成する。また、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、第２排気側ダンパ（48）、第１バイパス用ダンパ（83）及び第２バイパス用ダンパ（84）が流路切換機構及び開閉機構を構成する。
【００４５】
なお、図２の右側面図及び左側面図では、第１バイパス通路（81）、第２バイパス通路（82）、第１バイパス用ダンパ（83）、及び第２バイパス用ダンパ（84）の図示を省略している。
【００４６】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。この冷媒回路（50）が調湿手段を構成する。
【００４７】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００４８】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。
【００４９】
圧縮機（53）は、冷媒を圧縮する圧縮機構と、圧縮機構を駆動する電動機とが１つのケーシングに収容された全密閉型の圧縮である。圧縮機（53）の電動機へ供給する交流の周波数（即ち、圧縮機（53）の運転周波数）を変化させると、電動機により駆動される圧縮機構の回転速度が変化し、単位時間当たりに圧縮機（53）から吐出される冷媒の量が変化する。つまり、この圧縮機（53）、容量可変に構成されている。
【００５０】
前記電動膨張弁（55）は、開度が調節自在なパルスモータ駆動方式の電子膨張弁で構成されている。
【００５１】
冷媒回路（50）において、圧縮機（53）の吐出側と四方切換弁（54）の第１のポートとを繋ぐ配管には、高圧圧力センサ（91）と吐出管温度センサ（93）とが取り付けられている。高圧圧力センサ（91）は、圧縮機（53）から吐出された冷媒の圧力を計測する。吐出管温度センサ（93）は、圧縮機（53）から吐出された冷媒の温度を計測する。
【００５２】
また、冷媒回路（50）において、圧縮機（53）の吸入側と四方切換弁（54）の第２のポートとを繋ぐ配管には、低圧圧力センサ（92）と吸入管温度センサ（94）とが取り付けられている。低圧圧力センサ（92）は、圧縮機（53）へ吸入される冷媒の圧力を計測する。吸入管温度センサ（94）は、圧縮機（53）へ吸入される冷媒の温度を計測する。
【００５３】
また、冷媒回路（50）において、四方切換弁（54）の第３のポートと第１吸着熱交換器（51）とを繋ぐ配管には、配管温度センサ（95）が取り付けられている。配管温度センサ（95）は、この配管における四方切換弁（54）の近傍に配置され、配管内を流れる冷媒の温度を計測する。
【００５４】
〈コントローラの構成〉
調湿装置（10）には、制御部としてのコントローラ（60）が設けられている。図１及び図２では省略されているが、ケーシング（11）の前面パネル部（12）には電装品箱が取り付けられており、この電装品箱に収容された制御基板がコントローラ（60）を構成している。
【００５５】
コントローラ（60）には、内気湿度センサ（96）、内気温度センサ、外気湿度センサ（97）、及び外気温度センサの計測値が入力されている。また、コントローラ（60）には、冷媒回路（50）に設けられた各センサ（91,92,…）の計測値が入力されている。さらに、コントローラ（60）には、ユーザが操作するリモコン（図示省略）等から出力される操作信号が入力されている。
【００５６】
コントローラ（60）は、入力されたこれら操作信号及び計測値に基づいて、調湿装置（10）の運転制御を行う。具体的には、コントローラ（60）は、各ダンパ（41〜48,83,84）、各ファン（25,26）、圧縮機（53）、四方切換弁（54）及び電動膨張弁（55）の動作を制御して、調湿装置（10）の運転制御を行う。調湿装置（10）では、コントローラ（60）の制御動作によって、後述する除湿換気運転と加湿換気運転と単純換気運転とが切り換えられる。
【００５７】
具体的には、該コントローラ（60）は、調湿運転を制御する運転制御手段（61）を備えると共に、上記電動膨張弁（55）を制御するための開度制御手段（62）と初期設定手段（63）と補正手段（64）と開度低下手段（65）と開度増大手段（66）とを備えている。
【００５８】
上記運転制御手段（61）は、四方切換弁（54）で冷媒の循環方向を切り換え且つ、各ダンパ（41〜48,83,84）の開閉状態を制御することによって、第２吸着熱交換器（52）で空気の水分を吸着し且つ上記第１吸着熱交換器（51）で空気に水分を放出する第１バッチ運転と、上記第１吸着熱交換器（51）で空気の水分を吸着し且つ上記第２吸着熱交換器（52）で空気に水分を放出する第２バッチ運転とを交互に行い、除湿空気又は加湿空気である調湿空気を室内に供給するように構成されている。上記運転制御手段（61）は、各バッチ運転を所定のバッチ時間（例えば、３分）ごとに切り換えるように構成されている。
【００５９】
上記開度制御手段（62）は、電動膨張弁（55）の開度を制御するものであって、図３に示すように、各バッチ運転の開始から所定の弁制御開始時間Ｔ（例えば、１６８秒）が経過するまでは、原則として電動膨張弁（55）の開度を初期開度に制御する第１制御を行う一方、該弁制御開始時間Ｔが経過すると、電動膨張弁（55）の開度を調節して上記冷媒回路（50）の冷媒過熱度が所定の目標値になるようにフィードバック制御する第２制御を行う。尚、開度制御手段（62）は、第１制御中は、原則として、電動膨張弁（55）の開度を該初期開度に保持するように構成されている。
【００６０】
ただし、開度制御手段（62）は、調湿装置（10）の起動後、即ち、圧縮機（53）の起動後最初のバッチ運転では、そのバッチ運転の全期間において、電動膨張弁（55）の開度を調節して冷媒回路（50）の冷媒過熱度が所定の目標値になるようにフィードバック制御する。
【００６１】
上記初期設定手段（63）は、第１バッチ運転及び第２バッチ運転が終了する度に、その終了時（即ち、第２制御の終了時）の電動膨張弁（55）の弁開度を記憶している。そして、初期設定手段（63）は、第１バッチ運転の開始時（即ち、第１制御の開始時）には電動膨張弁（55）の前記初期開度を前回の第１バッチ運転の終了時の電動膨張弁（55）の開度に設定する一方、上記第２バッチ運転の開始時（即ち、第１制御の開始時）には電動膨張弁（55）の前記初期開度を前回の第２バッチ運転の終了時の電動膨張弁（55）の開度に設定する。つまり、上記初期設定手段（63）は、前回の同種のバッチ運転の電動膨張弁（55）の開度を引き継ぐように構成されている。
【００６２】
尚、上記初期設定手段（63）は、前回の各バッチ運転の終了時の電動膨張弁（55）の開度が存在しないときに他種のバッチ運転の終了時の電動膨張弁（55）の開度を初期開度に設定するように構成されている。
【００６３】
上記補正手段（64）は、圧縮機（53）の容量が変化すると、上記電動膨張弁（55）が圧縮機（53）の容量変化に対応した開度になるように開度制御手段（62）の制御開度を補正する。
【００６４】
上記開度低下手段（65）は、各バッチ運転の弁制御開始時間Ｔの経過前に上記冷媒回路（50）の冷媒過熱度が目標値より小さくなると、上記電動膨張弁（55）の開度が小さくなるように開度制御手段（62）の制御開度を小さくする。
【００６５】
上記開度増大手段（66）は、各バッチ運転の弁制御開始時間Ｔの経過前に上記冷媒回路（50）の冷媒過熱度が経時的に所定の上限過熱度以上に増大すると、上記電動膨張弁（55）の開度が大きくなるように開度制御手段（62）の制御開度を大きくする。
【００６６】
−運転動作−
本実施形態の調湿装置（10）は、除湿換気運転と、加湿換気運転と、単純換気運転とを選択的に行う。この調湿装置（10）は、除湿換気運転と加湿換気運転とを調湿運転として行う。以下に、各運転について詳しく説明した後に、調湿運転における電動膨張弁の開度制御について説明する。
【００６７】
〈除湿換気運転〉
除湿換気運転中の調湿装置（10）では、後述する第１バッチ運転と第２バッチ運転が所定のバッチ時間間隔（例えば３〜４分間隔）で交互に繰り返される。この除湿換気運転中において、第１バイパス用ダンパ（83）及び第２バイパス用ダンパ（84）は、常に閉状態となる。
【００６８】
除湿換気運転中の調湿装置（10）では、室外空気が外気吸込口（24）からケーシング（11）内へ第１空気として取り込まれ、室内空気が内気吸込口（23）からケーシング（11）内へ第２空気として取り込まれる。
【００６９】
先ず、除湿換気運転の第１バッチ運転について説明する。図４に示すように、この第１バッチ運転中には、第１内気側ダンパ（41）、第１外気側ダンパ（43）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１バッチ運転中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７０】
外気側通路（34）へ流入して外気側フィルタ（28）を通過した第１空気は、第２外気側ダンパ（44）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気ファン室（36）を通過後に給気口（22）を通って室内へ供給される。
【００７１】
一方、内気側通路（32）へ流入して内気側フィルタ（27）を通過した第２空気は、第１内気側ダンパ（41）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気ファン室（35）を通過後に排気口（21）を通って室外へ排出される。
【００７２】
次に、除湿換気運転の第２バッチ運転について説明する。図５に示すように、この第２バッチ運転中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２バッチ運転中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００７３】
外気側通路（34）へ流入して外気側フィルタ（28）を通過した第１空気は、第１外気側ダンパ（43）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気ファン室（36）を通過後に給気口（22）を通って室内へ供給される。
【００７４】
一方、内気側通路（32）へ流入して内気側フィルタ（27）を通過した第２空気は、第２内気側ダンパ（42）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気ファン室（35）を通過後に排気口（21）を通って室外へ排出される。
【００７５】
〈加湿換気運転〉
加湿換気運転中の調湿装置（10）では、後述する第１バッチ運転と第２バッチ運転が所定の時間間隔（例えば３〜４分間隔）で交互に繰り返される。この加湿換気運転中において、第１バイパス用ダンパ（83）及び第２バイパス用ダンパ（84）は、常に閉状態となる。
【００７６】
加湿換気運転中の調湿装置（10）では、室外空気が外気吸込口（24）からケーシング（11）内へ第２空気として取り込まれ、室内空気が内気吸込口（23）からケーシング（11）内へ第１空気として取り込まれる。
【００７７】
先ず、加湿換気運転の第１バッチ運転について説明する。図６に示すように、この第１バッチ運転中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１バッチ運転中の冷媒回路（50）では、四方切換弁（54）が第１状態（図３(Ａ)に示す状態）に設定され、第１吸着熱交換器（51）が凝縮器となって第２吸着熱交換器（52）が蒸発器となる。
【００７８】
内気側通路（32）へ流入して内気側フィルタ（27）を通過した第１空気は、第２内気側ダンパ（42）を通って第２熱交換器室（38）へ流入し、その後に第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気ファン室（35）を通過後に排気口（21）を通って室外へ排出される。
【００７９】
一方、外気側通路（34）へ流入して外気側フィルタ（28）を通過した第２空気は、第１外気側ダンパ（43）を通って第１熱交換器室（37）へ流入し、その後に第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気ファン室（36）を通過後に給気口（22）を通って室内へ供給される。
【００８０】
次に、加湿換気運転の第２バッチ運転について説明する。図７に示すように、この第２バッチ運転中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２バッチ運転中の冷媒回路（50）では、四方切換弁（54）が第２状態（図３(Ｂ)に示す状態）に設定され、第１吸着熱交換器（51）が蒸発器となって第２吸着熱交換器（52）が凝縮器となる。
【００８１】
内気側通路（32）へ流入して内気側フィルタ（27）を通過した第１空気は、第１内気側ダンパ（41）を通って第１熱交換器室（37）へ流入し、その後に第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気ファン室（35）を通過後に排気口（21）を通って室外へ排出される。
【００８２】
一方、外気側通路（34）へ流入して外気側フィルタ（28）を通過した第２空気は、第２外気側ダンパ（44）を通って第２熱交換器室（38）へ流入し、その後に第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気ファン室（36）を通過後に給気口（22）を通って室内へ供給される。
【００８３】
〈単純換気運転〉
単純換気運転中の調湿装置（10）は、取り込んだ室外空気（OA）をそのまま供給空気（SA）として室内へ供給すると同時に、取り込んだ室内空気（RA）をそのまま排出空気（EA）として室外へ排出する。ここでは、単純換気運転中の調湿装置（10）の動作について、図８を参照しながら説明する。
【００８４】
単純換気運転中の調湿装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、単純換気運転中において、冷媒回路（50）の圧縮機（53）は停止状態となる。
【００８５】
単純換気運転中の調湿装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【００８６】
また、単純換気運転中の調湿装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【００８７】
このように除湿換気運転や加湿換気運転や単純換気運転を行う調湿装置（10）は、調湿運転を開始するときには、以下の起動制御を行い、それに続いて、以下の電動膨張弁制御を行いながら調湿運転を行う。
【００８８】
〈起動制御〉
まず、起動制御について詳しく説明する。
【００８９】
詳しくは、コントローラ（60）は、第１外気側ダンパ（43）、第２外気側ダンパ（44）、第１排気側ダンパ（47）、及び第２排気側ダンパ（48）が開状態とする一方、第１内気側ダンパ（41）、第２内気側ダンパ（42）、第１給気側ダンパ（45）、第２給気側ダンパ（46）、第１バイパス用ダンパ（83）、及び第２バイパス用ダンパ（84）が閉状態とする。そして、コントローラ（60）は、排気ファン（25）の運転を開始する。
【００９０】
すると、外気吸込口（24）からケーシング（11）内へ流入した室外空気は、第１及び第２吸着熱交換器（51,52）を通過して、排気口（21）から室外へ流出していく（以下、外気循環運転ともいう）。
【００９１】
続いて、コントローラ（60）は、圧縮機（53）の運転周波数を所定の最低起動周波数に設定して、冷媒回路（50）内に油が行き渡り、油温が圧縮機（53）等の運転に支障がない程度上昇する所定の暖機時間が経過するまで圧縮機（53）の運転を開始する。次に、暖機時間が経過すると、コントローラ（60）は、冷媒回路（50）の高低差圧が所定の起動時差圧閾値より大きくなるように、圧縮機（53）の運転周波数を、前記最低起動周波数と、四方切換弁（54）を切り換えるために必要な最低の運転周波数である切換下限周波数（＞最低起動周波数）との間で制御する。
【００９２】
こうして圧縮機（53）を起動制御するのと同時に、コントローラ（60）は、電動膨張弁（55）の起動制御も行う。まず、コントローラ（60）は、電動膨張弁（55）の開度を全閉状態に設定する。そして、コントローラ（60）は、冷媒回路（50）の高圧が所定の第１高圧閾値より高くなるか、又は、低圧が所定の第１低圧閾値より低くなるかの何れかを満たすと、電動膨張弁（55）の開度を所定の固定開度に設定する。その後、コントローラ（60）は、冷媒回路（50）の高低差圧が所定のＰＩ差圧閾値より大きくなる、及び過熱度が所定の過熱閾値以上となるという両方を満たすと、電動膨張弁（55）の弁開度を調節して過熱度が所定の過熱閾値となるようにＰＩ制御する。
【００９３】
こうして、圧縮機（53）と電動膨張弁（55）の起動制御は、所定の起動制御時間が経過し且つ電動膨張弁がＰＩ制御に移行するまで続けられる。
【００９４】
起動制御が完了すると、冷媒回路（50）の冷凍サイクルは、調湿運転を実行可能な状態となっている。コントローラ（60）は、調湿運転を開始するときに、冷媒回路（50）の冷媒の循環方向を起動制御中の循環方向とは反対向きに切り換える。例えば、四方切換弁（54）が前記第２状態（図３（Ｂ）参照）で起動制御が行われていたときには、コントローラ（60）は、四方切換弁（54）を前記第１状態（図３（Ａ）参照）に切り換えて調湿運転を開始する。すなわち、コントローラ（60）は、第１バッチ運転で起動制御が行われていたときには第２バッチ運転で調湿運転を開始する（あるいは、第２バッチ運転で起動制御が行われていたときには第１バッチ運転で調湿運転を開始する）。
【００９５】
〈電動膨張弁の開度制御〉
前記調湿運転中は、以下の電動膨張弁（55）の開度制御が行われる。以下の説明では、起動制御が第２バッチ運転で行われていた場合について図９を参照しながら説明する。起動制御が第１バッチ運転で行われていた場合は、以下の文中で第１バッチ運転と第２バッチ運転とを入れ換えた説明となる。
【００９６】
まず、起動制御完了後、運転制御手段（61）は、第１バッチ運転を第１バッチ運転に切り換える。この起動後最初のバッチ運転（本実施形態では最初の第１バッチ運転）では、開度制御手段（62）は、該バッチ運転の実行中、電動膨張弁（55）の開度を調節して冷媒回路（50）の冷媒過熱度が所定の目標値（例えば、５℃）になるようにフィードバック制御（具体的には、ＰＩ制御）する（以下、起動時フィードバック制御ともいう）。
【００９７】
そして、所定のバッチ時間が経過すると、運転制御手段（61）は、第１バッチ運転を第２バッチ運転に切り換える。ここで、開度制御手段（62）は、バッチ運転開始時には電動膨張弁（55）の開度を初期開度に固定する前記第１制御を実行し、弁制御開始時間Ｔが経過すると電動膨張弁（55）の開度を調節して冷媒過熱度が所定の目標値になるようにフィードバック制御する前記第２制御を実行する。起動制御完了後、２回目以降の各バッチ運転では、この制御動作を行う。この第２制御は、前記起動時フィードバック制御とは伝達関数や制御パラメータ等、詳細な制御内容が異なるように構成されている。尚、第２制御と起動時フィードバック制御とが同様の制御内容であってもよい。
【００９８】
ここで、前記第１制御を行うためには、設定すべき初期開度が必要となる。そこで、初期設定手段（63）が開度制御手段（62）の初期開度を設定する。この初期設定手段（63）は、第１バッチ運転の開始時には電動膨張弁（55）を前回の第１バッチ運転の終了時の電動膨張弁（55）の開度に設定し、上記第２バッチ運転の開始時には電動膨張弁（55）を前回の第２バッチ運転の終了時の電動膨張弁（55）の開度に設定する。すなわち、初期設定手段（63）は、前回の同種のハッチ運転の終了時の電動膨張弁（55）の開度を初期開度に設定する。
【００９９】
ただし、ここでいう前回の同種のバッチ運転は、調湿装置（10）を一旦起動してから停止するまでの一連の運転中のバッチ運転である。したがって、起動制御完了直後においては、前回の同種のバッチ運転が存在しない。そのため、開度制御手段（62）は、起動後最初のバッチ運転においては、前記第１及び第２制御を行わず、前述の如く、起動時フィードバック制御を行っている。
【０１００】
さらに、起動後２回目のバッチ運転（本実施形態では最初の第２バッチ運転）についても、前回の同種のバッチ運転が存在しない。そのため、初期設定手段（63）は、起動後最初のバッチ運転において、前記起動時フィードバック制御の最後の電動膨張弁（55）の開度を記憶しておき、起動後２回目のバッチ運転では、記憶しておいた最初のバッチ運転の終了時の電動膨張弁（55）の開度を初期開度として設定する。このように、起動後２回目のバッチ運転においては、バッチ運転の種類は異なるものの、最初のバッチ運転の終了時の電動膨張弁（55）の開度を初期開度として第１制御を行うと共に前記第２制御を行っている。
【０１０１】
尚、起動制御完了後３回目以降のバッチ運転では、前回の同種のバッチ運転が存在するため、前述の如く、該前回の同種のバッチ運転の終了時の電動膨張弁（55）の開度を初期開度として設定する。
【０１０２】
このように、開度制御手段（62）は、基本的には、各バッチ運転において、電動膨張弁（55）の開度を初期開度に固定する第１制御と、電動膨張弁（55）の開度を調節して冷媒過熱度が目標値となるようにフィードバック制御する第２制御とを行っている。
【０１０３】
つまり、前記調湿装置（10）は、運転制御手段（61）によって第１バッチ運転と第２バッチ運転とが短時間で切り換わるので、冷媒過熱度が各バッチ運転時において安定する前にバッチ運転が切り換わることになる。そこで、各バッチ運転において、バッチ運転開始後、大半の期間は前記第１制御により電動膨張弁（55）の開度を初期開度で固定することによって、冷媒過熱度が不安定な状態でフィードバック制御を行うことにより電動膨張弁（55）の開度制御、ひいては冷媒過熱度をかえって不安定にしてしまうことを防止している。そして、冷媒過熱度が比較的安定する各バッチ運転の終了間際だけ第２制御を実行することによって、最終的には冷媒過熱度を所定の目標値に収束させて安定した冷凍サイクルを行わせるようにしている。
【０１０４】
ここで、第１バッチ運転と第２バッチ運転とでは、冷媒の循環方向が異なり、冷媒の圧力損失が異なると共に、空気通路における空気の圧力損失が異なるなどの理由から、電動膨張弁（55）の開度も異なることになる。そこで、第１バッチ運転を開始するときには、前回の第１バッチ運転の電動膨張弁（55）の開度を引き継ぎ、第２バッチ運転を開始するときには、前回の第２バッチ運転の電動膨張弁（55）の開度を引き継ぐように構成している。
【０１０５】
ただし、調湿装置（10）の起動直後には、前回の同種のバッチ運転が存在しないため、起動後最初のバッチ運転においては前記第１及び第２制御ではなく、前記起動時フィードバック制御を行う。また、起動後２回目のバッチ運転についても、前回の同種のバッチ運転が存在しないため、最初のバッチ運転における起動時フィードバック制御の終了時の電動膨張弁（55）の開度を初期開度として前記第１制御を行うと共に前記第２制御を行っている。
【０１０６】
一方、上記各バッチ運転の弁制御開始時間Ｔの経過前であって、開度制御手段（62）が電動膨張弁（55）を初期開度に制御している状態において、冷媒過熱度が目標値より小さくなると、開度低下手段（65）が電動膨張弁（55）の開度を小さくする。
【０１０７】
また、上記各バッチ運転の弁制御開始時間Ｔの経過前であって、開度制御手段（62）が電動膨張弁（55）を初期開度に制御している状態において、冷媒過熱度が経時的に所定過熱度以上に増大すると、開度増大手段（66）が電動膨張弁（55）の開度を大きくする。
【０１０８】
つまり、上記圧縮機（53）を起動して除湿運転又は加湿運転を開始した後において、初期設定手段（63）が設定する開度制御手段（62）の初期開度が安定するまでに所定時間を要する。具体的に、各バッチ運転を切り換えた後に冷媒過熱度大きく上昇したり、急激に低下することがある。そこで、開度低下手段（65）及び開度増大手段（66）によって冷媒過熱度が上昇しすぎたり、低下しすぎたりすることを防止している。
【０１０９】
このように電動膨張弁（55）の開度制御を行うと、例えば、図１０に示すように、起動後最初のバッチ運転においては、不安定ながらも冷媒過熱度が所定の目標過熱度（図では５℃）に少しずつ収束する（図中のＮ０参照）一方、起動後２回目以降のバッチ運転においては、バッチ運転の切換直後に冷媒過熱度が急激に上昇するものの、すぐに低下し始め、迅速に目標過熱度に収束していく。そして、次のバッチ運転への切換前にはフィードバック制御により目標過熱度にさらに収束する（図中のＮ，Ｍ参照）。
【０１１０】
尚、上記圧縮機（53）の容量が変化すると、補正手段（64）は、電動膨張弁（55）が圧縮機（53）の容量変化に対応した開度になるように開度制御手段（62）の制御開度を補正する。
【０１１１】
また、上記初期設定手段（63）は、エラー等により前回の各バッチ運転の終了時の電動膨張弁（55）の開度が存在しないときには他種のバッチ運転の終了時の電動膨張弁（55）の開度を初期開度に設定する。
【０１１２】
−実施形態の効果−
したがって、本実施形態によれば、各バッチ運転の開始から弁制御開始時間Ｔが経過すると冷媒過熱度が所定値になるように電動膨張弁（55）の開度を制御するようにしたために、電動膨張弁（55）の開度を比較的安定して制御することができる。つまり、各バッチ運転が短時間で切り換わるので、冷媒過熱度が各バッチ運転時において大きく変動する。そこで、冷媒過熱度が比較的安定する各バッチ運転の終了間際において、即ち、バッチ運転の切換前の所定期間だけ、電動膨張弁（55）の開度を調節して冷媒過熱度が所定値になるようにフィードバック制御するので、電動膨張弁（55）の開度の安定した制御を可能とすることができる。
【０１１３】
また、上記各バッチ運転の開始から弁制御開始時間が経過するまで電動膨張弁（55）の開度を一定値に保持するので、電動膨張弁（55）の開度制御の安定化を図ることができる。
【０１１４】
ここで、保持する一定値、即ち、前記初期開度として、上記第１バッチ運転の開始時には電動膨張弁（55）を前回の第１バッチ運転の終了時の電動膨張弁（55）の開度に設定し、上記第２バッチ運転の開始時には電動膨張弁（55）を前回の第２バッチ運転の終了時の電動膨張弁（55）の開度に設定するので、電動膨張弁（55）の開度を所定値に迅速に収束させることができる。
【０１１５】
つまり、第１バッチ運転と第２バッチ運転とでは、冷媒の循環方向が異なり、冷媒の圧力損失が異なると共に、空気通路における空気の圧力損失が異なるなどの理由から、電動膨張弁（55）の開度も異なることになる。そこで、第１バッチ運転を開始するときには、前回の第１バッチ運転の電動膨張弁（55）の開度を引き継ぎ、第２バッチ運転を開始するときには、前回の第２バッチ運転の電動膨張弁（55）の開度を引き継ぐことにより、電動膨張弁（55）の開度を早期に収束させることができる。
【０１１６】
ただし、このように前回の同種のバッチ運転の終了時の電動膨張弁（55）の開度を初期開度として電動膨張弁制御の第１制御を行う構成においては、調湿装置（10）の起動時直後においては、前回の同種のバッチ運転が存在しないため、設定すべき初期開度が存在しないことになる。そこで、本実施形態では、起動後最初のバッチ運転においては、電動膨張弁（55）の開度を調節して冷媒過熱度が所定の目標値となるようにフィードバック制御すると共に、起動後２回目のバッチ運転においては、バッチ運転の種類が異なるものの、該最初のバッチ運転の終了時の電動膨張弁（55）の開度を初期開度として第１制御を行い且つその後第２制御を行うように構成しえいる。こうすることによって、各バッチ運転の終了間際にしか、冷媒過熱度のフィードバック制御をしない構成においても、電動膨張弁（55）の開度制御を早期に安定させることができる。
【０１１７】
つまり、起動後最初のバッチ運転を、冷凍サイクルの挙動を予め予測して求めておいた予測開度を用いて第１制御を行い、その後に第２制御を行うことも考えられる。しかしながら、全ての運転条件に適合する予測開度を求めることは困難であり、該予測開度と電動膨張弁（55）の開度制御によって最終的に収束する実際の開度とが大きく乖離している場合には、各バッチ運転の終了間際にしか、冷媒過熱度のフィードバック制御をしない構成では、収束までに長い時間がかかってしまう。それに対して、本実施形態では、起動直後という冷媒過熱度が安定しない環境でありながらも、フィードバック制御を行うことによって、電動膨張弁（55）の開度を実際の運転条件に即した値に予めできる限り近づけることができ、電動膨張弁（55）の開度制御を早期に安定させることができる。
【０１１８】
また、上記各バッチ運転の弁制御開始時間Ｔの経過前において、冷媒過熱度が目標値より小さくなると、電動膨張弁（55）の開度を小さくするようにしたために、いわゆる湿り運転を防止することができ、液冷媒の圧縮機（53）への戻りを防止することができる。
【０１１９】
また、上記各バッチ運転の弁制御開始時間Ｔの経過前において、冷媒過熱度が経時的に所定過熱度以上に増大すると、電動膨張弁（55）の開度を大きくするようにしたために、圧縮機（53）の過熱を確実に防止することができる。
【０１２０】
また、上記圧縮機（53）の容量が変化すると、電動膨張弁（55）が圧縮機（53）の容量変化に対応した開度になるように補正するので、運転状態に適した開度に電動膨張弁（55）を制御することができ、電動膨張弁（55）の開度の安定化を図ることができる。
【０１２１】
また、起動後３回目以降のバッチ運転において、前回の各バッチ運転の終了時の電動膨張弁（55）の開度が存在しないときには他種のバッチ運転の終了時の電動膨張弁（55）の開度を初期開度に設定するので、電動膨張弁（55）の開度を運転条件に近い開度に設定することができ、電動膨張弁（55）の開度を迅速に収束させることができる。
【０１２２】
−実施形態の変形例１−
本実施形態の冷媒回路（50）では、冷凍サイクルの高圧が冷媒の臨界圧力よりも高い値に設定される超臨界サイクルを行ってもよい。その場合、第１吸着熱交換器（51）及び第２吸着熱交換器（52）は、その一方がガスクーラとして動作し、他方が蒸発器として動作する。
【０１２３】
−実施形態の変形例２−
本実施形態の調湿装置（10）では、第１吸着熱交換器（51）及び第２吸着熱交換器（52）に担持された吸着剤を冷媒によって加熱し又は冷却しているが、第１吸着熱交換器（51）及び第２吸着熱交換器（52）に対して冷水や温水を供給することで、吸着剤の加熱や冷却を行ってもよい。
【０１２４】
なお、以上の実施形態は、本質的に好ましい例示であって、本発明、その適用物、あるいはその用途の範囲を制限することを意図するものではない。
【産業上の利用可能性】
【０１２５】
以上説明したように、本発明は、室内の湿度調節を行うための調湿装置について有用である。
【図面の簡単な説明】
【０１２６】
【図１】前面側から見た調湿装置をケーシングの一部および電装品箱を省略して示す斜視図である。
【図２】調湿装置の一部を省略して示す概略の平面図、右側面図、及び左側面図である。
【図３】冷媒回路の構成を示す配管系統図であって、(Ａ)は第１バッチ運転中の動作を示すものであり、(Ｂ)は第２バッチ運転中の動作を示すものである。
【図４】除湿換気運転の第１バッチ運転における空気の流れを示す調湿装置の概略の平面図、右側面図、及び左側面図である。
【図５】除湿換気運転の第２バッチ運転における空気の流れを示す調湿装置の概略の平面図、右側面図、及び左側面図である。
【図６】加湿換気運転の第１バッチ運転における空気の流れを示す調湿装置の概略の平面図、右側面図、及び左側面図である。
【図７】加湿換気運転の第２バッチ運転における空気の流れを示す調湿装置の概略の平面図、右側面図、及び左側面図である。
【図８】単純換気運転における空気の流れを示す調湿装置の概略の平面図、右側面図、及び左側面図である。
【図９】膨張弁の開度制御を示すタイミング図である。
【図１０】冷媒過熱度の変化を示す特性図である。
【符号の説明】
【０１２７】
10    調湿装置
50    冷媒回路
51    第１吸着熱交換器（吸着熱交換器）
52    第２吸着熱交換器（吸着熱交換器）
53    圧縮機
54    四方切換弁
55    電動膨張弁（膨張弁）
62    開度制御手段
63    初期設定手段
【図１】
0005109594.tif 000002
【図２】
0005109594.tif 000003
【図３】
0005109594.tif 000004
【図４】
0005109594.tif 000005
【図５】
0005109594.tif 000006
【図６】
0005109594.tif 000007
【図７】
0005109594.tif 000008
【図８】
0005109594.tif 000009
【図９】
0005109594.tif 000010
【図１０】
0005109594.tif 000011